(57)【要約】      （修正有）【課題】誘導により加熱されるコードレスアイロン装置、及び本コードレスアイロン装置を使用する方法を提供する。【解決手段】ソールプレート２１を含むアイロンと、ソールプレート２１を加熱する電磁場を引き起こすようになっている電磁気発生器とを備えるアイロン装置１０に関する。電磁気発生器は、アイロン台のアイロンがけ面１１の下側設置された電磁石であり、アイロンのソールプレート２１は誘導により加熱される構成とする。【選択図】図１
2007296311.tif 000002
【特許請求の範囲】
【請求項１】
ソールプレートを備えるアイロンと、
前記ソールプレートを加熱する電磁場を引き起こすようになっている電磁気発生器と、
を備えるアイロン装置。
【請求項２】
前記電磁気発生器が、前記ソールプレートを解放可能に受けるように寸法付けられたドッキングポートを有するドッキングステーション内に保持される、請求項１に記載のアイロン装置。
【請求項３】
前記アイロンが水タンクを備える、請求項１に記載のアイロン装置。
【請求項４】
前記アイロンが、前記ソールプレートの長軸に沿って方向付けられたハンドルを備える、請求項１に記載のアイロン装置。
【請求項５】
前記ハンドルが左右対称である、請求項４に記載のアイロン装置。
【請求項６】
前記ソールプレートが前記アイロンに対して解放可能に取り付けられている、請求項１に記載のアイロン装置。
【請求項７】
前記ソールプレートが左右対称である、請求項１に記載のアイロン装置。
【請求項８】
前記ソールプレートの第１の先端に近接して配置された第１のスチーム噴射ノズルと、
前記ソールプレートの第２の先端に近接して配置された第２のスチーム噴射ノズルと、
を備える、請求項１に記載のアイロン装置。
【請求項９】
突発的な強力スチームを供給するために前記ソールプレートの第１の先端に近接して配置された第１のスチーム作動ボタン及び第１の噴射ノズルと、
突発的な強力スチームを供給するためにソールプレートの第２の先端に近接して配置された第２のスチーム作動ボタン及び第２の噴射ノズルと、
を備える、請求項１に記載のアイロン装置。
【請求項１０】
前記アイロンのハンドルの下側の前記水タンク上に設けられたスチーム作動ボタンと、突発的な通常スチームを供給するために前記ソールプレート上に位置されたスチーム穴のセットとを備える、請求項３に記載のアイロン装置。
【請求項１１】
前記電磁気発生器が高周波電磁石を備える、請求項１に記載のアイロン装置。
【請求項１２】
アイロンがけ面を備え、前記電磁気発生器が、前記アイロンがけ面の下側に設置されている、請求項１に記載のアイロン装置。
【請求項１３】
前記電磁気発生器が温度センサを備える、請求項１に記載のアイロン装置。
【請求項１４】
前記電磁気発生器が、前記ソールプレートの温度を制御するようになっている温度センサに結合されたコントローラを備える、請求項１に記載のアイロン装置。
【請求項１５】
前記電磁気発生器が、電源コード又は再充電可能なバッテリのうちの１つ以上を備える、請求項１に記載のアイロン装置。
【請求項１６】
前記アイロンがコードレスである、請求項１に記載のアイロン装置。
【請求項１７】
アイロン台と、
ソールプレートを備えるアイロンと、
ソールプレートを受けるように寸法付けられたドッキングポートを有し且つアイロン台に取り付けられるドッキングステーション内に保持された電磁気発生器と、
を備えるアイロンシステム。
【請求項１８】
前記ドッキングステーションが、前記アイロン台に対して解放可能に取り付けられている、請求項１７に記載のアイロンシステム。
【請求項１９】
前記電磁気発生器が、電源コード又は再充電可能なバッテリのうちの１つ以上を備える、請求項１７に記載のアイロンシステム。
【請求項２０】
アイロンがコードレスである、請求項１７に記載のアイロンシステム。
【請求項２１】
装置がコードレスである、請求項１７に記載のアイロンシステム。
【請求項２２】
アイロンシステムを動作させる方法であって、
振動電磁場を発生させるステップと、
アイロンのソールプレートを電磁場に近接して配置するステップと、
所望の温度に達するまでソールプレートに熱を誘発させるステップと、
を備える方法。
【請求項２３】
前記振動電磁場からソールプレートを取り除くステップを備える、請求項２２に記載の方法。
【請求項２４】
アイロンがけされる物品の表面に沿ってアイロンを前後に動かすステップを備える、請求項２２に記載の方法。
【請求項２５】
本体及びヒートプレートを含むアイロンと、
前記アイロンの前記本体内に組み込まれた電磁気発生器と、
を備えるアイロン装置。
【請求項２６】
前記電磁気発生器が電磁石を備える、請求項２５に記載のアイロン装置。
【請求項２７】
前記電磁気発生器により振動電磁場が発生されると、ソールプレートが加熱される、請求項２５に記載のアイロン装置。
【発明の詳細な説明】
【優先権主張】
【０００１】
[01]本出願は、２００６年５月５日に出願された米国仮特許出願第６０／７９７，６７８号及び２００６年５月１５日に出願された米国仮特許出願第６０／８００，０５０号の利益を主張し、両方とも参照として本明細書に組み込まれる。
【技術分野】
【０００２】
[02]本発明は、誘導により加熱されるコードレスアイロン装置、及び本コードレスアイロン装置を使用する方法に関する。
【発明の背景】
【０００３】
[03]一般的な誘導加熱装置においては、高周波磁場を発生させるために、高周波の交流電流が誘導加熱コイルに流される。この高周波磁場は、加熱される物体が加熱磁場の近傍に配置されると、当該物体中に渦電流を生成する。物体は、渦電流によって引き起こされるジュール熱により加熱される。
【発明の概要】
【０００４】
[04]本発明は、ソールプレートを含むアイロンと、ソールプレートを加熱する電磁場を引き起こすようになっている電磁気発生器とを備えるアイロン装置に関する。一実施形態において、電磁気発生器は、アイロン台のアイロンがけ面の下側に設置された電磁石である。アイロンのソールプレートは誘導により加熱される。別の実施形態において、アイロンシステムは、アイロン台と、ソールプレートを有するアイロンと、ソールプレートを受けるように寸法付けられたドッキングポートを有するドッキングステーション内に保持された電磁気発生器とを含んでいる。ドッキングステーションは、アイロン台と一体であってもよく、或いは、解放可能に取り付けられてもよい。
【０００５】
[05]本発明の更なる実施形態は、ソールプレートを有するアイロンと、ソールプレートを受けるように寸法付けられたドッキングポートを有するドッキングステーション内に保持された電磁気発生器とを備えるアイロンシステムを含んでいる。
【０００６】
[06]アイロンシステムを動作させる方法は、振動電磁場を発生させるステップと、アイロンのソールプレートを電磁場に近接して配置するステップと、所望の温度に達するまでソールプレートに熱を誘発させるステップとを含んでいる。最後に、本体及びヒートプレートを有するアイロンと、本体内に組み込まれた電磁気発生器とを含むアイロン装置が記載されている。
【０００７】
[07]複数の実施形態を開示するが、本発明の例示的な実施形態を示して説明する以下の詳細な説明から本発明の更に他の実施形態も当業者にとって明らかとなる。したがって、図面及び詳細な説明は、本質的に例示と見なされるべきであり、限定的と見なされるべきではない。
【０００８】
[020]本発明は様々な変更及び代替の形態を成し得るが、特定の実施形態を図面に一例として示し、また、以下に特定の実施形態について詳細に説明する。しかしながら、説明する特定の実施形態に本発明を限定しようとするものではない。それどころか、本発明は、添付の請求項によって規定される本発明の範囲内に入る全ての変更、等価物、代替物を網羅しようとするものである。
【発明の詳細説明】
【０００９】
[021]図１を参照すると、一実施形態のアイロン装置１０は、コードレスアイロン２４と、本発明に係るアイロン台１２とを含んでいる。図１に示される実施形態において、アイロン台１２は、アイロンがけ面１１と、アイロン台１２に設置された制御パネル１３と、ドッキングポート１４と、ハウジング１８とを含んでいる。アイロンがけ面１１は、セラミック、或いは、フェノール樹脂、ガラス、ナイロン、ＰＢＴ又はＰＥＴなどの高温耐性熱可塑性材料又は熱硬化性材料によって形成できる。アイロン台１２は、長方形状、又は、ユーザが織物をアイロンがけするのに便利な任意の他の形状にすることができる。また、アイロン台１２は、ユーザがアイロン２４を操作するのに便利となるように任意の寸法に設定することができる。ハウジング１８は、任意の適切な材料で作成することができる。
【００１０】
[022]一実施形態において、アイロン台１２は、壁コンセント等の外部電源に差し込まれるオプションの電源コード１９を含んでいる。或いは、完全にコードレスなアイロン装置１０を可能にするため、アイロン台１２は、コードレスであり、再充電可能なバッテリを含んでいる。アイロン装置１０のコードレスな特徴的構成により、容易に保管して携帯することができるとともに、ユーザの便宜のためアイロン装置１０を任意の平坦な表面上に配置することができる。
【００１１】
[023]図２Ａは、図１に示されるコードレスアイロン２４の複合図を示している。図２Ｂは、図１に示されるアイロン２４の正面図を示している。アイロン２４は、ハンドル２３と、本体２５と、装着支持体２２と、装着支持体２２に装着されたソールプレート２１とを含んでいる。また、図２Ａは、強力スチーム作動ボタン２７，２７’と、ソールプレート２１の先端３０，３０’に近接して位置され且つアイロンがけされる物品に対して突発的な強力スチームを供給するためのスチーム噴射ノズル２６，２６’とを示している。
【００１２】
[024]図２Ａの実施形態において、ハンドル２３は、左右対称であり、ソールプレート２１の長軸に沿って方向付けられている。これにより、右利きのユーザも左利きのユーザも快適にアイロン２４を図１に示されるようなアイロンがけ面上に置かれた繊維や衣類上にわたって前後に動かすことができる。
【００１３】
[025]ソールプレート２１は装着支持体２２上に装着されている。ソールプレート２１は、好ましくは左右対称であり、その長手方向端部に位置された先端３０，３０’を有している。一実施形態において、ソールプレート２１は、装着支持体２２に対して解放可能に取り付けられている。ソールプレート２１は、鉄又はステンレス鋼などの第１鉄金属によって形成されている。或いは、ソールプレート２１は、合金鉄又は強磁性セラミックによって形成されていてもよい。技術が進歩するにつれて、ソールプレート２１は、アルミニウム又は銅及びこれらのそれぞれの合金などの他の適した材料によって形成することができる。また、ソールプレートは、アイロンがけ中にスチームを供給するための少なくとも１つのスチーム穴セット２９，２９’を含んでいてもよい。
【００１４】
[026]図１、図２Ａ、図２Ｂに示される本発明の代替の実施形態において、コードレスアイロン２４は、スチームを供給するための水タンク２０を含んでいる。水タンク２０上で且つハンドル２３の下側には、通常スチーム作動ボタン２８が設けられている。コードレスアイロン２４においては、加熱素子も温度制御も必要ない。これにより、更に大きな水タンク及び気化用のスチームチャンバのために更に多くの空間を確保できる。スチームは、リンネル、綿、羊毛、これらのそれぞれの混合体のような繊維をアイロンがけする際に望ましい。突発的な通常スチームは、水タンク２０上に設けられた通常スチーム作動ボタン２８が作動されるときにスチーム穴セット２９’を通じて供給される。強力スチーム作動ボタン２７又は２７’がユーザにより作動されると、スチームがスチーム穴セット２９を通じて供給される。強力スチーム作動ボタン２７，２７’は、アイロンがけされる物品に対して突発的なスチームを供給するのか或いは強力なスチームを供給するのかを選択するようになっている。
【００１５】
[027]コードレスアイロン２４はドライアイロンとしての機能を果たすことができる。ドライアイロンは、シルク、レーヨン、アセテート、ナイロン及びこれらのそれぞれの混合体のような繊維を平滑にするため或いはパッチ又は他の接着物品上でアイロンがけするために使用される。
【００１６】
[028]図３に最もよく示されるように、アイロン台１２内には、電磁場を発生するようになっている電磁気発生器１５が設置されている。図３に示される実施形態において、電磁気発生器１５は、アイロンがけ面１１の下側のハウジング１８内に設置されている。電磁気発生器１５は強力な高周波電磁石であることが好ましい。振動電流（ＡＣ）が電源から電磁石に供給されると、電磁場が発生される。電磁気発生器１５に対して供給される振動電流の周波数は１５ｋＨｚ〜８０ｋＨｚの範囲である。周波数は２０ｋＨｚ〜３０ｋＨｚの範囲であることが好ましい。振動電流の周波数は、アイロン２４のソールプレート２１のために選択される材料に応じて調整できる。また、アイロン台１２内には、電磁気発生器１５の動作を制御するようになっているデジタル又はアナログコントローラ３１も設置されている。アイロン台１２がコードレスである場合には、再充電可能なバッテリもアイロン台１２内に設置されることが好ましい。電磁気発生器１５は、アイロン台１２の形状及びサイズに応じた適切な形状及びサイズを有することができる。
【００１７】
[029]図１及び図３を参照すると、アイロン２４のソールプレート２１が電磁気発生器１５により発生される電磁場（図１に正弦曲線で表わされる）に近接して置かれると、電磁場は、誘導として知られるプロセスにより、エネルギをソールプレート２１の金属へ伝える。伝えられたエネルギにより、ソールプレート２１の金属が熱くなる。特に、電磁場は、ソールプレート２１の金属を貫いて循環電流を発生させ、それによりソールプレート２１中に熱が発生する。熱は、アイロン２４自体のソールプレート２１で直接に発生する。アイロン台１２は、電磁場に晒されても加熱されない材料により構成されていることが好ましい。ソールプレート２１中に熱を誘発させるために、ソールプレート２１と電磁気発生器１５との間の物理的接触は必要ない。
【００１８】
[030]電磁気発生器１５は、アイロン２４のソールプレート２１が電磁場に近接したままである限り、アイロン２４のソールプレート２１を連続的に加熱することができる。図１に示される実施形態において、アイロン２４のソールプレート２１は、それがアイロンがけ面１１に近接して保持され、或いはアイロンがけ面１１上に直接に置かれる場合には電磁場内にある。アイロン２４が電磁気発生器１５により発生される電磁場から外れると、循環電流が弱まり、スールプレート２１が冷める。
【００１９】
[031]電磁場の強度及び／又は持続時間を制御することにより、アイロン２４のソールプレート２１で発生される熱量を制御することができる。一実施形態においては、電磁気発生器１５に対して供給される電流の周波数を調整することにより、電磁場の強度が調整される。
【００２０】
[032]図３に図示されるように、支持体上には温度センサ１６が取り付けられており、この温度センサは電磁気発生器１５の中心に置かれている。温度センサ１６は、バネ１７を介してアイロンがけ面１１の底部と連通している。温度センサ１６は、アイロン２４のソールプレート２１の温度を、アイロン台１２内に設置されたコントローラ３１に伝える。コントローラ３１は、デジタルであってもよく或いはアナログであってもよく、図１に図示されるアイロン台１２の表面上に位置された制御パネル１３と通信を行なう。コントローラ３１は、制御パネル１３を通じてユーザにより行なわれる温度選択に応じて、電磁気発生器１５により発生される電磁場の強度及び／又は持続時間を調整する。また、制御パネル１３は、ソールプレート２１が選択された温度に達したことをユーザに警告するためのアラーム又は表示灯を含んでいてもよい。また、制御パネルは、アイロン２４が特定の時間にわたって使用されていなかった場合に電磁気発生器１５に対する電力供給を遮断する自動遮断装置を含んでいてもよい。
【００２１】
[033]図４Ａ、図４Ｂ及び図５は、図１〜図３に図示されるアイロン装置１０を使用する様々な方法を示している。繊維又は衣類がアイロンがけ面１１上に配置される。アイロン２４がユーザによりドッキングポート１４から取り出され、アイロンがけ面１１の下側に配置された電磁気発生器１５に近接してアイロン２４が置かれる。アイロン台１２の表面上に位置された制御パネル１３により通信された所望の温度にアイロン２４が達すると、アイロン２４を繊維又は衣類の上で前後に動かすことによりアイロンがけを進めてもよい。この動きは、アイロン台１２の長軸に沿って行なわれる必要はない。ユーザがアイロンがけを終えると、アイロン２４をドッキングステーション１４上に置いて冷ますことができる。アイロン２４がオプションの水タンク２０を含んでいる場合、ユーザは、強力スチーム作動ボタン２７又は通常スチーム作動ボタン２８のいずれかを作動させることにより、スチーム穴セット２９又は２９’を通じてスチームを解放することができる。
【００２２】
[034]図６〜図８を参照すると、一実施形態のアイロン装置１００は、例えば図２に図示されるようなコードレスアイロン２４と、アイロン台１２と、ドッキングステーション４０とを含んでいる。ドッキングステーション４０は、ドッキングポート４２と制御パネル４３とを含んでいる。アイロン台１２は、ユーザが繊維又は衣類をアイロンがけするのに便利な任意の形状又はサイズをとることができる。アイロン台１２は、その上に繊維又は衣類が置かれるアイロンがけ面１１を含んでいる。アイロンがけ面１１は、セラミック、或いは、フェノール樹脂、ガラス、ナイロン、ＰＢＴ、ＰＥＴ又は木材などの高温耐性熱可塑性材料又は熱硬化性材料によって形成される。一実施形態では、ドッキングステーション４０がアイロン台１２と一体である。或いは、ドッキングステーション４０はアイロン台１２に対して解放可能に取り付けられる。
【００２３】
[035]ドッキングステーション４０は、コードレスアイロン２４を受けるように寸法付けられたドッキングポート４２を含んでいる。ドッキングポート４２は、セラミック、或いは、例えばフェノール樹脂、ガラス、ナイロン、ＰＢＴ又はＰＥＴなどの別の適当な高温耐性材料によって形成される。アイロン２４は、ドッキングポート４２に置かれると、ブレース４４Ａ，４４Ａ’，４４Ｂ，４４Ｂ’（集合的に「４４」と称する）上に載置される。アイロン２４は、ソールプレート２１を加熱するためにドッキングポート４２に配置される。また、アイロン２４は、アイロン装置がもはや使用されないときにドッキングポート４２に載置され、或いは冷まされてもよい。
【００２４】
[036]本発明に係る一実施形態において、１つ以上のブレース４４は、電磁気発生器１５を作動させるためにコントローラ３１に信号を送る圧力スイッチである。コードレスアイロン２４が取り除かれると、圧力スイッチ４４は、電磁気発生器１５の動作を停止させるためにコントローラ３１に信号を送る。
【００２５】
[037]図８に示されるように、ドッキングステーション４０は、電源４９と、電磁場を発生するようになっている電磁気発生器１５とを含んでいる。また、ドッキングステーション４０は、コードレスアイロン２４のソールプレート２１の動作温度を表示し且つ選択するためにその表面上に位置された制御パネル４３を含んでいる。図示の実施形態において、電源４９は、壁コンセントに接続されるようになっている電源コードである。或いは、電源は、ドッキングステーション４０内に配置された再充電可能なバッテリである。電磁気発生器１５は強力な高周波電磁石を含んでいる。振動電流（ＡＣ）が図示のように電源コード４９から或いは再充電可能バッテリから供給されると、電磁石により電磁場が発生される。電磁気発生器１５は、ドッキングステーション４０のドッキングポート４２の下側に設置されている。また、ドッキングステーション４０内には、電磁気発生器１５の動作を制御するようになっているデジタル又はアナログコントローラ３１も設置されている。コントローラ３１は制御パネル４３と通信する。
【００２６】
[038]コードレスアイロン２４のソールプレート２１が電磁気発生器１５により発生される電磁場に近接して置かれると、電磁場は、誘導によりエネルギをソールプレート２１の金属へ伝える。伝えられたエネルギにより、ソールプレート２１の金属が熱くなる。特に、電磁場は、ソールプレート２１の金属を貫いて循環電流を発生させ、それによりソールプレート２１中に熱が発生する。熱は、アイロン２４自体のソールプレート２１で直接に発生し、ドッキングステーション４０の部位では全く発生しない。
【００２７】
[039]電磁気発生器１５は、コードレスアイロン２４のソールプレート２１が電磁場に近接したままである限り、アイロン２４のソールプレート２１を連続的に加熱する。アイロン２４が電磁場から外れると、アイロン２４のソールプレート２１が冷め始める。図示の実施形態において、アイロン２４のソールプレート２１は、それがドッキングステーション４０のドッキングポート４２に配置され且つ電力が電磁気発生器１５に対して供給される場合には電磁場内にある。
【００２８】
[040]電磁場の強度及び／又は持続時間を制御することにより、コードレスアイロン２４のソールプレート２１で発生される熱量を制御することができる。図８に図示されるように、ドッキングステーション４０には、アイロン２４のソールプレート２１の温度をコントローラ３１に伝えるようになっている温度センサ１６が設置されている。一実施形態において、温度センサ１６は、支持体に装着されており、電磁気発生器１５の中心に置かれている。温度センサ１６は、バネ１７を介してアイロンがけ面１１の底部と連通している。温度センサ１６は、アイロン２４のソールプレート２１の温度を、アイロン台１２内に設置されたコントローラ３１に伝える。コントローラ３１は、デジタルであってもよく或いはアナログであってもよく、制御パネル４３と通信を行なう。コントローラ３１は、制御パネル４３を通じてユーザにより行なわれる温度選択に応じて、電磁気発生器１５に対して供給される電流の周波数を調整することにより、電磁場の強度を調整する。制御パネル４３は、ソールプレート２１が選択された温度に達したことをユーザに警告するためのアラーム又は表示灯を含んでいてもよい。また、制御パネルは、アイロン２４が特定の時間にわたって使用されていなかった場合に電磁気発生器１５に対する電力供給を遮断する自動遮断装置を含んでいてもよい。
【００２９】
[041]使用時、ドッキングステーション４０が給電されると、電磁気発生器１５が電磁場を発生し始める。ドッキングステーション４０のドッキングステーション４２に置かれたコードレスアイロン２４のソールプレート２１は、制御パネル４３を通じてユーザにより選択された所望の温度まで加熱されるようになる。その後、ユーザは、アイロン２４をアイロン台１２上に置き、アイロン台１２のアイロンがけ面１１の上に置かれた繊維上でアイロン４２を前後に動かす。アイロンがけプロセスが続くにつれて、アイロン２４のソールプレート２１が冷める。ソールプレート２１が誘導デバイス１２のドッキングステーション４２に置かれると、ソールプレート２１を再加熱することができる。
【００３０】
[042]アイロン装置１００のアイロン台１２はオプションである。図９〜図１１は、コードレスアイロン２４及びドッキングステーション４０を含むアイロン装置２００の更に別の実施形態を示している。別個のアイロン台上の繊維をアイロンがけするために、加熱されたアイロン２４を使用することができる。或いは、アイロン２４は、吊り下げられている繊維又は衣類をスチームに当てるために使用されてもよい。コードレスアイロン２４及びドッキングステーション４０の構造及び機能は、図２Ａ、２Ｂ、８に図示されて前述したアイロン２４及びドッキングステーション４０と同様である。また、アイロン装置２００は、図示のように壁コンセントに接続されるようになっている電源コード４９又はドッキングステーション４０内に配置された再充電可能バッテリなどの電源を含んでいる。再充電可能バッテリは図１１に仮想線で示されている。
【００３１】
[043]図１２は、アイロン３２４及びアイロン本体３２５内に組み込まれた電磁気発生器３１５を含む本発明の更に別の実施形態を示している。電力は、壁コンセントなどの外部電源に差し込まれるようになっている電源コード３１９により電磁気発生器３１５に対して供給される。アイロンの本体３２５内にはデジタル或いはアナログコントローラ（図示せず）が配置されており、このコントローラは、アイロン本体３２５又はアイロンハンドル３２３のいずれかに位置された制御パネルと通信する。アイロン３２４は、ソールプレート３２１の表面と接触する温度センサ３１６を含んでいる。温度センサ３１６は、アイロン３２４のソールプレート３２１の温度をコントローラに伝える。コントローラは、制御パネルを通じてユーザにより行なわれる温度選択に応じて、電磁気発生器３１５に対して供給される電流の周波数を調整することにより、電磁場の強度を調整する。これはソールプレート３２１の温度を制御する。制御パネルは、ソールプレート３２１が選択された温度に達したことをユーザに警告するアラーム又は表示灯を含んでいてもよい。また、制御パネルは、アイロン３２４が特定の時間にわたって使用されていなかった場合に電磁気発生器３１５に対する電力供給を遮断する自動遮断装置を含んでいてもよい。
【００３２】
[044]本発明の好ましい実施形態に適用される本発明の基本的な新規な特徴について説明して指摘してきたが、図示の実施形態の形態及び内容においては本発明の思想から逸脱することなく様々な省略、置き換え、変更が当業者により行なわれてもよいことは言うまでもない。本発明は、単なる一例として与えられている前述した実施形態によって限定されず、添付の特許請求項により規定される保護範囲内において様々な方法で修正できる。
【図面の簡単な説明】
【００３３】
【図１】本発明に係るアイロン装置の斜視図である。
【図２Ａ】本発明の様々な実施形態で使用できるアイロンの複合図を示している。
【図２Ｂ】本発明の様々な実施形態で使用できるアイロンの正面図である。
【図３】図１のアイロン装置のアイロン台の分解図である。
【図４Ａ】図２Ａ及び図２Ｂに図示されるアイロンを使用する様々な方法を図示している。
【図４Ｂ】図２Ａ及び図２Ｂに図示されるアイロンを使用する様々な方法を図示している。
【図５】図２Ａ及び図２Ｂに図示されるアイロンを使用する様々な方法を図示している。
【図６】アイロンとドッキングステーションとアイロン台とを有する本発明に係るアイロン装置の代替の実施形態を示している。
【図７】本発明に係るアイロン装置のドッキングステーションのドッキングポートにアイロンが受けられた状態における、図６のアイロン装置の実施形態を示している。
【図８】図６に示されるアイロン装置の実施形態の分解図である。
【図９】アイロン及びドッキングステーションを含む本発明に係るアイロン装置の別の実施形態を示している。
【図１０】アイロンがドッキングステーションのドッキングポートに置かれた状態における本発明に係る図９のアイロン装置の実施形態を示している。
【図１１】図９のアイロン装置の実施形態の分解図である。
【図１２】アイロンとアイロンの本体に組み込まれた誘導デバイスとを含む本発明の別の実施形態を示している。
【符号の説明】
【００３４】
１０…アイロン装置、１１…アイロンがけ面、１２…アイロン台、１３，４３…制御パネル、１４…ドッキングポート、１５…電磁気発生器、１６…温度センサ、２０…水タンク、２１…ソールプレート、２４…アイロン、３１…コントローラ、４０…ドッキングステーション。
【図１】
2007296311.tif 000003
【図２Ａ】
2007296311.tif 000004
【図２Ｂ】
2007296311.tif 000005
【図３】
2007296311.tif 000006
【図４Ａ】
2007296311.tif 000007
【図４Ｂ】
2007296311.tif 000008
【図５】
2007296311.tif 000009
【図６】
2007296311.tif 000010
【図７】
2007296311.tif 000011
【図８】
2007296311.tif 000012
【図９】
2007296311.tif 000013
【図１０】
2007296311.tif 000014
【図１１】
2007296311.tif 000015
【図１２】
2007296311.tif 000016
【外国語明細書】
2007296311000001.pdf